(57)【要約】      （修正有）【課題】コネクタ接続部の抜けを防止することが可能な配線部材の保持構造を提供する。【解決手段】第１の接続部５を有する回路基板１と、第１の接続部５を露出可能な開口部２２を有し、回路基板１を保護するケース部材２と、第１の接続部５に接続される第２の接続部６１を有する配線部材６と、を備え、ケース部材２は、保持部２４を有し、配線部材６又は第２の接続部６１と保持部２４とを結束する結束部材７とを有し、保持部２４は、第２の接続部６１が第１の接続部５へ挿入される方向と逆の方向へ突出形成される。【選択図】図２
2020148638.tif 000002
【特許請求の範囲】
【請求項１】
第１の接続部を有する回路基板と、
前記第１の接続部を露出可能な開口部を有し、前記回路基板を保護するケース部材と、
前記第１の接続部に接続される第２の接続部を有する配線部材と、を備え、
前記ケース部材は、保持部を有し、
前記配線部材又は前記第２の接続部と前記保持部とを結束する結束部材を有することを特徴とする配線部材の保持構造。
【請求項２】
前記保持部は、前記第２の接続部が前記第１の接続部へ挿入される方向と逆の方向へ突出形成されることを特徴とする請求項１に記載の配線部材の保持構造。
【請求項３】
前記保持部は、前記結束部材の抜けを防止する抜け止め部を有することを特徴とする請求項２に記載の配線部材の保持構造。
【請求項４】
前記第２の接続部は、滑り止め部を有し、
前記保持部は、前記滑り止め部と対向する位置に形成されることを特徴とする請求項３に記載の配線部材の保持構造。
【請求項５】
前記ケース部材は、前記開口部の外周に突出形成される筒状部を有し、
前記ケース部材は、前記保持部と前記筒状部とを連絡する連結部を有することを特徴とする請求項１に記載の配線部材の保持構造。
【請求項６】
前記第１の接続部及び前記第２の接続部は、ＵＳＢ規格の機器を接続するための端子であることを特徴とする請求項１に記載の配線部材の保持構造。
【発明の詳細な説明】
【技術分野】
【０００１】
本開示は、配線部材の保持構造に関する。
【背景技術】
【０００２】
下記特許文献１に開示された車両用の計器装置では、回路基板の背面側のケースに設けられた開口を介して外部側コネクタと電気的に引き回し形成するための計器側コネクタが設けられている。この計器側コネクタには、外部側コネクタが連結される。外部側コネクタは、車両の電源側であるバッテリ側と電気的に接続される配線部材である配線コードを有する。計器側コネクタと外部側コネクタとは、コネクタ自身の保持するロック機構によりロックされるので、配線コードが引っ張られても外部側コネクタが計器側コネクタから抜けない構造となっている。
【先行技術文献】
【特許文献】
【０００３】
【特許文献１】特開２０１１−１４９８１９号公報
【発明の概要】
【発明が解決しようとする課題】
【０００４】
近年、車両用の計器装置では、外部と電気的に引き回し形成するためにＵＳＢ（Ｕｎｉｖｅｒｓａｌ  Ｓｅｒｉａｌ  Ｂｕｓ）コネクタ等の採用がある。しかしながら、ＵＳＢコネクタのロック機構は嵌合が弱いので、車両の振動などによりコネクタ接続部が抜け易いといった問題点があった。
【０００５】
そこで、本発明はこの様な点に鑑みなされたもので、コネクタ接続部の抜けを防止することが可能な配線部材の保持構造を提供することを目的とする。
【課題を解決するための手段】
【０００６】
上記目的を達成するため、本開示の配線部材の保持構造は、第１の接続部５を有する回路基板１と、前記第１の接続部５を露出可能な開口部２２を有し、前記回路基板１を保護するケース部材２と、前記第１の接続部５に接続される第２の接続部６１を有する配線部材６と、を備え、前記ケース部材２は、保持部２４，２５を有し、前記配線部材６又は前記第２の接続部６１と前記保持部２４，２５とを結束する結束部材７を有することを特徴とする。
【発明の効果】
【０００７】
本開示は、コネクタ接続部の抜けを防止することが可能な配線部材の保持構造を提供することができる。
【図面の簡単な説明】
【０００８】
【図１】本開示の第１の実施形態に係る配線部材の保持構造を車両用の計器装置に適用した場合の防水用カバーを省く計器装置の背面図。
【図２】図１のＡ−Ａ線を含む要部断面図。
【図３】結束バンドを示す図。
【図４】本開示の第２の実施形態に係る配線部材の保持構造を示す図２に対応する図。
【図５】本開示の第３の実施形態に係る配線部材の保持構造を示す図１に対応する図。
【発明を実施するための形態】
【０００９】
本開示の実施形態について図１乃至５を参照して説明するが、本発明はこれら実施形態に限定されるものではなく、本開示を逸脱することなく種々の変更が可能である。
【００１０】
(第１の実施形態)
本開示の第１の実施形態に係る計器装置１００を、図１乃至３を参照して説明する。計器装置１００は、車両（例えば、自動車）に搭載され、所定の計測量（車両速度など）を表示する計器装置として構成される。
【００１１】
尚、以下では、計器装置１００の構成の理解を容易にするために、各部材に対して、計器装置１００から車両運転席に着座した運転者を見る方向を「前（正面）」、その反対側を「後（背面）」とする。
【００１２】
計器装置１００は、図１，２に示すように、表示部９と、表示部９の背後に配置される回路基板１と、回路基板１を背後から保護するケース（ケース部材）２と、回路基板１に配置される計器側コネクタ３と、計器側コネクタ３に接続される外部側コネクタ４１を有する配線４と、回路基板１に配置されるＵＳＢ計器側コネクタ（第１の接続部）５と、ＵＳＢ計器側コネクタ５に接続されるＵＳＢ外部側コネクタ（第２の接続部）６１を有するＵＳＢ配線６と、ケース２とＵＳＢ配線（配線部材）６とを結束する結束バンド（結束部材）７と、外部側コネクタ４１及びＵＳＢ外部側コネクタ６１を覆う防水用カバー８と、を少なくとも有する。
【００１３】
表示部９は、詳細は図示しないが、見返し板や文字板によって区切られた表示枠内に設けられる液晶表示素子と、液晶表示素子を透過照明するための発光ダイオードと、液晶表示素子と発光ダイオードとの間隔を保持するとともに照明光を液晶表示素子に均一に照明するための光反射形状の調光部材と、を備える。尚、表示部９は、液晶表示素子による表示だけでなく、他の手段によって表示を行うものであってもよく、例えば、指針駆動用ステッピングモータで駆動することによって変化する指示値を判読させて指示表示を行うものなどであっても良い。
【００１４】
回路基板１は、例えば、ガラスエポキシ樹脂（Ｇｌａｓｓ  Ｆｉｂｅｒ  Ｒｅｉｎｆｏｒｃｅｄ  Ｐｌａｓｔｉｃｓ）からなる絶縁性を有する板状の基材に各種配線がプリントされて構成される。回路基板１には、液晶表示素子や発光ダイオードのほか、必要な電子素子が実装されて電気的に接続されている。
【００１５】
回路基板１は、表示部９で表示を行うための図示しない制御部（表示用駆動回路）が実装される。この制御部は、計器装置１００の外部装置（例えば、車両のＥＣＵ（Ｅｌｅｃｔｒｏｎｉｃ  Ｃｏｎｔｒｏｌ  Ｕｎｉｔ））から車両の速度等の車両情報を取得し、取得した情報に基づいて、表示部９を表示させることができる。回路基板１は、背後側に計器側コネクタ３とＵＳＢ計器側コネクタ５とを有する。
【００１６】
計器側コネクタ３は、直方体の樹脂ソケットの内部に複数の電極ピンが並んだ、表面実装タイプの雌型コネクタである。配線４は、一端に計器側コネクタ３に接続される雄型コネクタである外部側コネクタ４１と、配線部分であるコード部４２と、を有し、他端が車両の電源側である車両ＥＣＵ側と電気的に接続される配線部材である。計器側コネクタ３と外部側コネクタ４１は、強いロック機構を有する。
【００１７】
ＵＳＢ計器側コネクタ５は、ＵＳＢ規格の機器を接続するための雌型コネクタである。ＵＳＢ計器側コネクタ５は、端子が断面長方形のＴｙｐｅＡのコネクタである。ＵＳＢ配線６は、一端にＵＳＢ計器側コネクタ５に接続される雄型コネクタであるＵＳＢ外部側コネクタ６１と、配線部分であるＵＳＢコード部６２と、を有し、他端が車両の電源側である車両ＥＣＵ側と電気的に接続される配線部材である。
【００１８】
ＵＳＢ外部側コネクタ６１は、ＵＳＢ計器側コネクタ５に挿入され内部に接点を有する端子部６１１と、端子部６１１の一部を樹脂材で被覆しＵＳＢ計器側コネクタ５に挿入されない持ち手部６１２と、を有する。持ち手部６１２は、対向する両辺に凹凸形状の滑り止め部６１２ａを有する。
【００１９】
ケース２は、合成樹脂材からなり、例えば、遮光性のある白色のポリプロピレン樹脂から構成されている。ケース２は開口２１と、ＵＳＢ開口（開口部）２２と、筒状部２３と、保持部２４と、を有する。
【００２０】
開口２１は、計器側コネクタ３を囲むように略四角形の孔に形成される。ＵＳＢ開口２２は、ＵＳＢ計器側コネクタ５を囲むように略四角形の孔に形成される。筒状部２３は、開口２１とＵＳＢ開口２２と保持部２４とを取り巻くように、これらの外周位置に突出形成される。
【００２１】
保持部２４は、ＵＳＢ外部側コネクタ６１がＵＳＢ計器側コネクタ５と挿抜される挿抜（着脱）方向において、ＵＳＢ外部側コネクタ６１がＵＳＢ計器側コネクタ５へ挿入される挿入方向とは逆の、ＵＳＢ外部側コネクタ６１がＵＳＢ計器側コネクタ５から抜かれる抜去方向へ断面四角形で突出形成される。
【００２２】
保持部２４は、ＵＳＢ外部側コネクタ６１の挿入方向に沿って又は、挿入方向と平行に突出する片２４１と、片２４１の先端に結束バンド７の抜けを防止するフック状のかえし（抜け止め部）２４２と、を有する。保持部２４は、ＵＳＢ開口２２の外周のＵＳＢ開口２２に隣接する位置に形成される。
【００２３】
結束バンド７は、図３に示すように、樹脂製のバンド７１の片面に歯状の溝模様７１１が形成され、一端にバンド７１の溝模様７１１と係合する係止部７２１を有する孔７２が形成される。結束バンド７は、他端を孔７２に通して輪を形成する部品である。結束バンド７は、ケース２に設けられた保持部２４とＵＳＢ配線６とを結束する。結束バンド７は、ＵＳＢ配線６の１辺の滑り止め部６１２ａと、保持部２４のかえし２４２と、に係合する。
【００２４】
防水用カバー８は、ゴムなどの弾性部材からなり、中空状に形成され、一端側８１がケース２に設けられた筒状部２３の外側に装着され、他端側８２がコード部４２とＵＳＢコード部６２とを挿通するように窄んで形成される。防水用カバー８は、計器側コネクタ３と外部側コネクタ４１の接続部及び、ＵＳＢ計器側コネクタ５とＵＳＢ外部側コネクタ６１の接続部へ外部から水や埃が直接侵入することを未然に防ぐ。
【００２５】
このように形成されることで、車両の振動などによりＵＳＢ外部側コネクタ６１がＵＳＢ計器側コネクタ５から抜けようとすると、滑り止め部６１２ａに係合している結束バンド７が引っ張られる。しかしながら、結束バンド７は、保持部２４のかえし２４２に係合しているので抜けない。これにより、ＵＳＢ計器側コネクタ５とＵＳＢ外部側コネクタ６１の接続の抜けを防止することができる。
【００２６】
(第２の実施形態)
本開示に係る計器装置１００の第２の実施形態を図４に基づいて説明する。前述した第１の実施形態と同一部分、均等部箇所については同一符号を付して説明する。
【００２７】
第１の実施形態では、保持部２４は、かえし２４２を有していたが、本実施形態の保持部２５は、筒状部２３と連絡する連結部２５１を有する。本実施形態では、保持部２５と筒状部２３は、同じ高さに突出する。連結部２５１は、回路基板１の面方向と略平行に形成される。
【００２８】
第１の実施形態では、結束バンド７は滑り止め部６１２ａとかえし２４２とに係合していたが、本実施形態では、結束バンド７は、連結部２５１と、ＵＳＢ外部側コネクタ６１とＵＳＢコード部６２との境界部分とに係合する。
【００２９】
このように形成されることで、車両の振動などによりＵＳＢ外部側コネクタ６１がＵＳＢ計器側コネクタ５から抜けようとすると、ＵＳＢ外部側コネクタ６１とＵＳＢコード部６２との境界部分に係合している結束バンド７が引っ張られる。しかしながら、結束バンド７は連結部２５１に係合しているので抜けない。これにより、ＵＳＢ計器側コネクタ５とＵＳＢ外部側コネクタ６１の接続の抜けを防止することができる。
【００３０】
(第３の実施形態)
本開示に係る計器装置１００の第３の実施形態を図５に基づいて説明する。前述した第１の実施形態と同一部分、均等部箇所については同一符号を付して説明する。
【００３１】
第１の実施形態では、保持部２４は１辺の滑り止め部６１２ａと対向する位置に形成されていたが、本実施形態では、保持部２６は、対向する滑り止め部６１２ａを結ぶ方向と直交する位置に形成される。
【００３２】
第１の実施形態では、結束バンド７は１辺の滑り止め部６１２ａとかえし２４２とに係合していたが、本実施形態の結束バンド７は、両辺の滑り止め部６１２ａとかえし２４２とに係合する。
【００３３】
このように形成されることで、車両の振動などによりＵＳＢ外部側コネクタ６１がＵＳＢ計器側コネクタ５から抜けようとすると、両辺の滑り止め部６１２ａに係合している結束バンド７が引っ張られる。しかしながら、結束バンド７は、保持部２４のかえし２４２に係合しているので抜けない。これにより、ＵＳＢ計器側コネクタ５とＵＳＢ外部側コネクタ６１の接続の抜けを防止することができる。
【００３４】
尚、本開示は前述した実施形態に限定されるものでなく、本開示の要旨の範囲において、種々の変形が可能である。
【００３５】
例えば、ＵＳＢ計器側コネクタ５は、端子がＴｙｐｅＡのコネクタであったが、ＴｙｐｅＢや、ｍｉｎｉＡや、ＭｉｃｒｏＡ等であってもよい。また、ＵＳＢ計器側コネクタ５は、ＵＳＢ規格のコネクタであったが、イーサネット（登録商標）等の他の規格であってもよい。また、結束バンド７は、樹脂製であったが、布にフック状の起毛を形成した面ファスナーや、金属製の針金等であってもよい。
【００３６】
本開示は、配線部材の保持構造に関し、例えば、自動車やオートバイ、あるいは農業機械や建設機械を備えた移動体に搭載される車両用の計器装置に適用することができる。
【符号の説明】
【００３７】
１  回路基板
２  ケース（ケース部材）
２１  開口
２２  ＵＳＢ開口（開口部）
２３  筒状部
２４，２５  保持部
２４１  片
２４２  かえし（抜け止め部）
２５１  連結部
３  計器側コネクタ
４  配線
４１  外部側コネクタ
５  ＵＳＢ計器側コネクタ（第１の接続部）
６  ＵＳＢ配線（配線部材）
６１  ＵＳＢ外部側コネクタ（第２の接続部）
６１２ａ  滑り止め部
７  結束バンド（結束部材）
８  防水用カバー
９  表示部
【図１】
2020148638.tif 000003
【図２】
2020148638.tif 000004
【図３】
2020148638.tif 000005
【図４】
2020148638.tif 000006
【図５】
2020148638.tif 000007